(57)【要約】【課題】リセプタクルコネクタとプラグコネクタの接続可能方向が複数であり、しかもプラグコネクタとリセプタクルコネクタの相対位置や姿勢を正確に把握できない環境下においてもプラグコネクタとリセプタクルコネクタの着脱作業を比較的容易に行うことが可能なコネクタを提供する。【解決手段】リセプタクルインシュレータとプラグインシュレータの着脱方向が、リセプタクルコンタクト２７及びプラグコンタクト５９、６３の並び方向である一方向に対して直交する第一着脱方向、上記一方向及び第一着脱方向に対して直交する第二着脱方向、並びに第一着脱方向を中心とする回転方向のいずれの方向であっても、リセプタクルインシュレータ１６とプラグインシュレータ４６を接続方向に移動案内することが可能な案内手段２０、２１、４７、５０を備える。【選択図】図１７
2015018623.tif 000002
【特許請求の範囲】
【請求項１】
リセプタクルインシレータ、及び該リセプタクルインシュレータに一方向に直線的に並べて支持した複数のリセプタクルコンタクト、を有するリセプタクルコネクタと、
上記リセプタクルインシュレータに対して着脱可能なプラグインシュレータ、及び該プラグインシュレータに上記一方向に並べて支持し、かつ上記リセプタクルインシュレータに対して上記プラグインシュレータを接続したときに上記リセプタクルコンタクトとそれぞれ接触する複数のプラグコンタクト、を有するプラグコネクタと、
を備えるコネクタにおいて、
上記リセプタクルインシュレータと上記プラグインシュレータの着脱方向が、上記一方向に対して直交する第一着脱方向、上記一方向及び上記第一着脱方向に対して直交する第二着脱方向、並びに上記第一着脱方向を中心とする回転方向のいずれの方向であっても、上記リセプタクルインシュレータと上記プラグインシュレータを接続方向に移動案内することが可能な案内手段を備えることを特徴とするコネクタ。
【請求項２】
請求項１記載のコネクタにおいて、
上記案内手段が、
上記リセプタクルインシュレータに形成したリセプタクル側案内部と、
上記プラグインシュレータに形成した、上記リセプタクルインシュレータと上記プラグインシュレータが接近しながら接続するときに上記リセプタクル側案内部と係合するプラグ側案内部と、
を備え、
上記プラグ側案内部に、上記リセプタクル側案内部と係脱可能で上記第一着脱方向に見たときに円弧形をなす曲面からなる係合面を形成したコネクタ。
【請求項３】
請求項２記載のコネクタにおいて、
上記リセプタクル側案内部に、
上記プラグ側案内部の上記係合面と係脱可能で上記第一着脱方向に見たときに円弧形をなす曲面からなる係合面を形成したコネクタ。
【請求項４】
請求項１から３のいずれか１項記載のコネクタにおいて、
上記プラグコネクタが、
上記リセプタクルコンタクトと接触する上記プラグコンタクトを備える第一プラグコネクタと、
上記リセプタクルコンタクトと接触する上記プラグコンタクトを備え、自身の上記プラグコンタクトが上記リセプタクルコンタクトと接触したときに上記第一プラグコネクタと上記第二着脱方向に並ぶ第二プラグコネクタと、
を備えるコネクタ。
【請求項５】
請求項１から４のいずれか１項記載のコネクタにおいて、
上記プラグコネクタが、
上記リセプタクルコンタクトと接触可能な第一プラグコンタクトを有し、かつ該第一プラグコンタクトが平板状の第一回路基板に実装可能な第一プラグコネクタと、
上記リセプタクルコンタクトと接触可能な第二プラグコンタクトを有し、かつ該第二プラグコンタクトが平板状の第二回路基板に実装可能であり、上記リセプタクルコンタクトと上記第二プラグコンタクトが接触したときに上記第二回路基板が上記第一回路基板と同一平面上に位置する第二プラグコネクタと、
を備えるコネクタ。
【請求項６】
請求項１から５のいずれか１項記載のコネクタにおいて、
上記リセプタクルコンタクトの先端部に、両者の間に上記プラグコンタクトが進入して接続する一対の挟持片を形成したコネクタ。
【請求項７】
請求項５に従属する請求項６記載のコネクタにおいて、
上記リセプタクルコンタクトが上記第二着脱方向に延びる部材であり、
上記リセプタクルコンタクトの両端部に上記一対の挟持片をそれぞれ形成したコネクタ。
【発明の詳細な説明】
【技術分野】
【０００１】
本発明はリセプタクルコネクタとプラグコネクタを有するコネクタに関する。
【背景技術】
【０００２】
回路基板同士を接続するコネクタの一例として、特許文献１に開示されたものがある。
このコネクタは、回路基板に実装したリセプタクルコネクタと、該回路基板とは別の回路基板に実装したプラグコネクタと、を具備している。
【０００３】
このリセプタクルコネクタは、リセプタクルインシュレータと、リセプタクルインシュレータに一方向に直線的に並べて支持した複数のリセプタクルコンタクト、を有しており、各リセプタクルコンタクトが上記回路基板に対して実装してある。各リセプタクルコンタクトは上記一方向に対する直交方向に延びており、各リセプタクルコンタクトの先端部には、上記直交方向に延びつつ二股状に分岐する接続部が形成してある。即ち、この接続部は上記一方向に離間した一対の挟持片を有している。
【０００４】
一方、特許文献１のプラグコネクタは、リセプタクルインシュレータに対して着脱可能なプラグインシュレータと、プラグインシュレータに上記一方向に並べて支持した複数のプラグコンタクトと、を有しており、各プラグコンタクトが上記別の回路基板に対して実装してある。リセプタクルインシュレータに対してプラグインシュレータを接続すると、各リセプタクルコンタクトの一対の挟持片の間に各プラグコンタクトが進入して、各プラグコンタクトが対応する接続部（一対の挟持片）に接触し、上記回路基板と上記別の回路基板が互いに電気的に導通可能となる。
【０００５】
リセプタクルコンタクトの接続部が二股状に形成してあるので、特許文献１のリセプタクルコネクタとプラグコネクタの接続可能方向は二方向である。即ち、リセプタクルインシュレータとプラグインシュレータを上記直交方向に接近させる場合だけでなく、リセプタクルインシュレータとプラグインシュレータを上記一方向及び上記直交方向に対して直交する方向に接近させる場合も、リセプタクルコネクタに対してプラグコネクタを接続する（リセプタクルコンタクトの一対の挟持片の間にプラグコンタクトを進入させる）ことが可能である。
そのためリセプタクルコネクタとプラグコネクタの接続可能方向が一つの方向に限定されているコネクタと比べて、リセプタクルコネクタとプラグコネクタの接続作業が容易である。
【先行技術文献】
【特許文献】
【０００６】
【特許文献１】特開２０００−１９５６２４号公報
【発明の概要】
【発明が解決しようとする課題】
【０００７】
特許文献１のコネクタは、各種の機器（例えば制御機器やＭＦＰ（Multi Function Printer））に内蔵した２枚の回路基板どうしを接続するためのコネクタとして利用可能である。
一般的に機器の筐体には蓋等により開閉可能な孔が形成してある。そのため、例えばプラグコネクタを実装した回路基板が故障したり、又は、この回路基板に実装した（プラグコネクタ以外の）電子部品が故障した場合は、作業者がこの孔から手を筐体内に入れてプラグコネクタをリセプタクルコネクタから分離し、プラグコネクタと回路基板の一体物を筐体の外側に取り出す。そして新しい回路基板とプラグコネクタ（及び電子部品）の一体物を上記孔を通して筐体の内部に挿入し、筐体の内部においてプラグコネクタをリセプタクルコネクタに接続する。
【０００８】
しかし、筐体内におけるプラグコネクタ（及び、回路基板、電子部品）の取付空間が狭い場合や、作業者が上記孔を通してこの取付空間を視認するのが難しい場合がある。そのため作業者は、プラグコネクタとリセプタクルコネクタの相対位置や姿勢を正確に把握できない状況下で、プラグコネクタのリセプタクルコネクタに対する着脱作業を行わざるを得ないことがある。
上記したように特許文献１のコネクタはリセプタクルコネクタとプラグコネクタの接続可能方向が二方向であるものの、このような状況下ではプラグコネクタのリセプタクルコネクタに対する着脱作業は容易でない。
【０００９】
またプラグコネクタとリセプタクルコネクタの構造（リセプタクルインシュレータやプラグインシュレータの形状など）を工夫することにより、リセプタクルコネクタとプラグコネクタを相対回転させながら接続可能なものに設計変更することが可能である。
このような設計変更を行うと、リセプタクルコネクタとプラグコネクタの接続可能方向がさらに増えるので、一般的にリセプタクルコネクタとプラグコネクタの着脱作業は容易になる。
しかし機器の筐体内のような環境下では、このタイプのコネクタであってもプラグコネクタのリセプタクルコネクタに対する着脱作業は容易でない。
【００１０】
本発明は、リセプタクルコネクタとプラグコネクタの接続可能方向が複数であり、しかもプラグコネクタとリセプタクルコネクタの相対位置や姿勢を正確に把握できない環境下においてもプラグコネクタとリセプタクルコネクタの着脱作業を比較的容易に行うことが可能なコネクタを提供するものである。
【課題を解決するための手段】
【００１１】
本発明のコネクタは、リセプタクルインシュレータ、及び該リセプタクルインシュレータに一方向に直線的に並べて支持した複数のリセプタクルコンタクト、を有するリセプタクルコネクタと、上記リセプタクルインシュレータに対して着脱可能なプラグインシュレータ、及び該プラグインシュレータに上記一方向に並べて支持し、かつ上記リセプタクルインシュレータに対して上記プラグインシュレータを接続したときに上記リセプタクルコンタクトとそれぞれ接触する複数のプラグコンタクト、を有するプラグコネクタと、を備えるコネクタにおいて、上記リセプタクルインシュレータと上記プラグインシュレータの着脱方向が、上記一方向に対して直交する第一着脱方向、上記一方向及び上記第一着脱方向に対して直交する第二着脱方向、並びに上記第一着脱方向を中心とする回転方向のいずれの方向であっても、上記リセプタクルインシュレータと上記プラグインシュレータを接続方向に移動案内することが可能な案内手段を備えることを特徴としている。
【００１２】
上記案内手段が、上記リセプタクルインシュレータに形成したリセプタクル側案内部と、上記プラグインシュレータに形成した、上記リセプタクルインシュレータと上記プラグインシュレータが接近しながら接続するときに上記リセプタクル側案内部と係合するプラグ側案内部と、を備え、上記プラグ側案内部に、上記リセプタクル側案内部と係脱可能で上記第一着脱方向に見たときに円弧形をなす曲面からなる係合面を形成してもよい。
この場合、上記リセプタクル側案内部に、上記プラグ側案内部の上記係合面と係脱可能で上記第一着脱方向に見たときに円弧形をなす曲面からなる係合面を形成してもよい。
【００１３】
上記プラグコネクタが、上記リセプタクルコンタクトと接触する上記プラグコンタクトを備える第一プラグコネクタと、上記リセプタクルコンタクトと接触する上記プラグコンタクトを備え、自身の上記プラグコンタクトが上記リセプタクルコンタクトと接触したときに上記第一プラグコネクタと上記第二着脱方向に並ぶ第二プラグコネクタと、を備えてもよい。
【００１４】
上記プラグコネクタが、上記リセプタクルコンタクトと接触可能な第一プラグコンタクトを有し、かつ該第一プラグコンタクトが平板状の第一回路基板に実装可能な第一プラグコネクタと、上記リセプタクルコンタクトと接触可能な第二プラグコンタクトを有し、かつ該第二プラグコンタクトが平板状の第二回路基板に実装可能であり、上記リセプタクルコンタクトと上記第二プラグコンタクトが接触したときに上記第二回路基板が上記第一回路基板と同一平面上に位置する第二プラグコネクタと、を備えてもよい。
【００１５】
上記リセプタクルコンタクトの先端部に、両者の間に上記プラグコンタクトが進入して接続する一対の挟持片を形成してもよい。
上記リセプタクルコンタクトが上記第二着脱方向に延びる部材であり、上記リセプタクルコンタクトの両端部に上記一対の挟持片をそれぞれ形成してもよい。
【発明の効果】
【００１６】
本発明のコネクタは、リセプタクルインシュレータとプラグインシュレータを、一方向（リセプタクルコンタクトの並び方向）に対して直交する第一着脱方向、一方向及び第一着脱方向に対して直交する第二着脱方向、並びに第一着脱方向を中心とする回転方向のいずれの方向に接近させる場合であっても、リセプタクルインシュレータとプラグインシュレータを接続する（リセプタクルコンタクトに対してプラグコンタクトを接触させる）ことが可能である。そのため、リセプタクルコネクタとプラグコネクタの接続可能方向が一つの方向に限定されているコネクタと比べて、リセプタクルコネクタとプラグコネクタを容易に接続させることが可能である。
【００１７】
しかもリセプタクルインシュレータとプラグインシュレータを接続するときの接近方向が第一着脱方向、第二着脱方向、及び回転方向のいずれの方向であっても、リセプタクルインシュレータとプラグインシュレータを接続方向に移動案内することが可能な案内手段を備えている。
そのためプラグコネクタとリセプタクルコネクタの相対位置や姿勢を正確に把握できない環境下においても、プラグコネクタとリセプタクルコネクタの着脱作業を比較的容易に行うことが可能である。しかも、プラグコネクタとリセプタクルコネクタの着脱作業時に各コネクタに無理な力が掛からないので、各コネクタが破損するおそれは小さい。
【図面の簡単な説明】
【００１８】
【図１】本発明の一実施形態のリセプタクルコネクタと固定用板材の前方から見た斜視図である。
【図２】リセプタクルコネクタの後方から見た斜視図である。
【図３】リセプタクルコネクタの正面図である。
【図４】図３のIV−IV矢線に沿う断面図である。
【図５】図３のＶ−Ｖ矢線に沿う断面図である。
【図６】リセプタクルコネクタの後方から見た分解斜視図である。
【図７】リセプタクルコンタクトの斜視図である。
【図８】第一プラグコネクタと第一回路基板の前方から見た斜視図である。
【図９】第一プラグコネクタと第一回路基板の後方から見た斜視図である。
【図１０】第一プラグコネクタの後方から見た斜視図である。
【図１１】第一プラグコネクタの正面図である。
【図１２】図１１のXII−XII矢線に沿う断面図である。
【図１３】図１１のXIII−XIII矢線に沿う断面図である。
【図１４】第一プラグコネクタの後方から見た分解斜視図である。
【図１５】図１４に示す分離状態の第一プラグコネクタの図１２に相当する断面図である。
【図１６】リセプタクルコネクタ及び固定用板材の一体物（並びに第二プラグコネクタ及び第二回路基板の一体物）と、当該一体物から左方に離間した第一プラグコネクタ及び第一回路基板の一体物の分離状態の正面図である。
【図１７】第一プラグコネクタの一方の係合凹部をリセプタクルコネクタの一方のプラグ側案内部に係合させたときの図１６と同様の正面図である。
【図１８】図１７の状態から第一プラグコネクタ及び第一回路基板の一体物をリセプタクルコネクタに対して相対回転させて、第一プラグコネクタをリセプタクルコネクタに対して接続したときの図１６と同様の正面図である。
【図１９】コネクタ、第一回路基板、第二回路基板、及び機器の外形を示す下方から見た斜視図である。
【図２０】図１８のXX−XX矢線に沿う断面図である。
【図２１】リセプタクルコネクタ及び固定用板材の一体物（及び第二プラグコネクタと第二回路基板の一体物）と、当該一体物から左斜め前方に離間した第一プラグコネクタ及び第一回路基板の一体物の斜視図である。
【図２２】リセプタクルコネクタ及び固定用板材の一体物（及び第二プラグコネクタと第二回路基板の一体物）と、第一プラグコネクタ及び第一回路基板の一体物の図２１と同じ位置関係にあるときの底面図である。
【図２３】リセプタクルコネクタ及び固定用板材の一体物（及び第二プラグコネクタと第二回路基板の一体物）と、当該一体物から左方に離間した第一プラグコネクタ及び第一回路基板の一体物の斜視図である。
【図２４】リセプタクルコネクタ及び固定用板材の一体物（並びに第二プラグコネクタ及び第二回路基板の一体物）と、第一プラグコネクタ及び第一回路基板の一体物の図２３と同じ位置関係にあるときの底面図である。
【図２５】リセプタクルコネクタ及び固定用板材の一体物（及び第二プラグコネクタと第二回路基板の一体物）と、当該一体物から左斜め前方に離間した第一プラグコネクタ及び第一回路基板の一体物の斜視図である。
【図２６】リセプタクルコネクタ及び固定用板材の一体物（並びに第二プラグコネクタ及び第二回路基板の一体物）と、第一プラグコネクタ及び第一回路基板の一体物の図２５と同じ位置関係にあるときの底面図である。
【図２７】リセプタクルコネクタ及び固定用板材の一体物（及び第二プラグコネクタと第二回路基板の一体物）と、当該一体物から左斜め前方に離間した第一プラグコネクタ及び第一回路基板の一体物の斜視図である。
【図２８】リセプタクルコネクタ及び固定用板材の一体物（並びに第二プラグコネクタ及び第二回路基板の一体物）と、第一プラグコネクタ及び第一回路基板の一体物の図２７と同じ位置関係にあるときの底面図である。
【発明を実施するための形態】
【００１９】
以下、添付図面を参照しながら本発明の一実施形態について説明する。なお、以下の説明中の前後、左右、及び上下の方向は、図中の矢印方向を基準としている。
本実施形態のコネクタ１０は、リセプタクルコネクタ１５と、第一プラグコネクタ４５（プラグコネクタ）と、第二プラグコネクタ７１（プラグコネクタ）とを具備している。
【００２０】
まずはリセプタクルコネクタ１５の詳しい構造について主に図１〜図７を参照しながら説明する。
リセプタクルコネクタ１５は大きな構成要素としてリセプタクルインシュレータ１６と、多数のリセプタクルコンタクト２７と、を具備している。
リセプタクルインシュレータ１６は絶縁性かつ耐熱性の合成樹脂料を射出成形した上下方向に延びる部材である。リセプタクルインシュレータ１６の前面の左右両側部には、リセプタクルインシュレータ１６の長手方向に沿って延びる接続用凹部１７がそれぞれ形成してある。さらにリセプタクルインシュレータ１６の前部には、上下方向に直線的に延びる仕切突条１８が形成してある。図４等に示すように仕切突条１８の前部を構成する誘い込み部１８ａの断面形状は略半円形である。図示するように仕切突条１８は左右の接続用凹部１７を仕切っている。またリセプタクルインシュレータ１６の左右両側面の上下両端部を除く部分には、上下方向に延びる側面凹部１９が凹設してある。
さらにリセプタクルインシュレータ１６の上下両端部の前部には、仕切突条１８の上下両端部にそれぞれ接続するリセプタクル側案内部２０、２１（案内手段）がそれぞれ形成してある。図示するようにリセプタクル側案内部２０、２１の正面形状は略Ｔ字形である。リセプタクル側案内部２０の左右両側部の下面及びリセプタクル側案内部２１の左右両側部の上面は正面視円弧形状（略円弧形状も含む）の曲面からなる係合面２２により構成してある。各係合面２２は仕切突条１８の後部（誘い込み部１８ａを除く部分）の左右両面とそれぞれ接続している（図１、図５等を参照）。リセプタクル側案内部２０の前面と左右の係合面２２を接続する部位及びリセプタクル側案内部２１の前面と左右の係合面２２を接続する部位は正面視円弧形（略円弧形状も含む）の誘い込み面２３により構成してある。図５等に示すように、各誘い込み面２３は仕切突条１８の誘い込み部１８ａの上下両端と接続しており、各誘い込み面２３断面形状は誘い込み部１８ａと同じ形状（断面略円弧形または略円弧形）である。
リセプタクルインシュレータ１６の後部（仕切突条１８とリセプタクル側案内部２０、２１より後方に位置する部位）には、多数のコンタクト支持孔２５が上下方向に等間隔で並べて形成してある。各コンタクト支持孔２５の後端部はリセプタクルインシュレータ１６の後面において開口している（図２、図４、図６等を参照）。各コンタクト支持孔２５の左側部は、リセプタクルインシュレータ１６の後部の左側部の前面（左側の接続用凹部１７の底面）及びリセプタクルインシュレータ１６の左側面に跨る態様で開口している（図４を参照）。一方、各コンタクト支持孔２５の右側部は、リセプタクルインシュレータ１６の後部の右側部の前面（右側の接続用凹部１７の底面）及びリセプタクルインシュレータ１６の右側面に跨る態様で開口している（図１、図２、図３、図４、図５、図６等を参照）。
【００２１】
コンタクト支持孔２５と同数のリセプタクルコンタクト２７は、ばね弾性を備えた銅合金（例えばリン青銅、ベリリウム銅、チタン銅）やコルソン系銅合金の薄板を図示形状となるようにスタンピング成形したものであり、表面には金や錫などによってメッキを施してある。リセプタクルコンタクト２７は、左右方向に延びるベース片２８と、ベース片２８の上縁部から前方に向かって延びる第一支持片３０と、ベース片２８の下縁部から前方に向かって延びる第二支持片３５と、を備えている。ベース片２８の左右両端部は共にテール片２９を構成している。ベース片２８全体の左右寸法はコンタクト支持孔２５の後端開口より長く、ベース片２８のテール片２９を除いた部分の左右寸法はコンタクト支持孔２５の後端開口より僅かに短い。第一支持片３０の左右両端部には、第一支持片３０よりも左右寸法が短い第一挟持片３１が突設してある。第一挟持片３１の側面形状（断面形状）は略Ｖ字形である。即ち、第一挟持片３１の長手方向の中央部には第一屈曲部３２が形成してある。第一挟持片３１は、第一支持片３０側の端部から第一屈曲部３２までは前斜め下方に向かって延びており、第一屈曲部３２より先端側は前斜め上方に向かって延びる第一誘い込み片３３となっている。第二支持片３５の左右両端部には第一挟持片３１と上下対称形状の第二挟持片３６がそれぞれ突設してある。即ち、第二挟持片３６は第二支持片３５側の端部から第二屈曲部３７までは前斜め上方に向かって延びており、第二屈曲部３７より先端側は前斜め下方に向かって延びる第二誘い込み片３８となっている。また第一支持片３０と第二支持片３５の中央部には、係止部３１ａと係止部３５ａが前向きに突設してある。
【００２２】
各リセプタクルコンタクト２７は対応するコンタクト支持孔２５に対して、コンタクト支持孔２５の後端開口（リセプタクルインシュレータ１６の後面側）から挿入する。リセプタクルコンタクト２７をコンタクト支持孔２５に挿入すると、第一支持片３０、第一挟持片３１、第二支持片３５、及び第二挟持片３６がコンタクト支持孔２５の内部に進入する。また、左右のテール片２９の一部（第一支持片３０、第二支持片３５側の端部）がリセプタクルインシュレータ１６の後面に当接し（図４参照。当接せずに僅かに離間してもよい）、左右のテール片２９の先端部が左右の側面凹部１９と対応する箇所に位置する（図１、図３参照）。さらに、係止部３１ａと係止部３５ａがコンタクト支持孔２５に圧入し（係止部３１ａと係止部３５ａがコンタクト支持孔２５に対して抜け止めされ）、図５に示すように、第一挟持片３１及び第二挟持片３６はコンタクト支持孔２５の内面に対して非接触になる。このとき第一屈曲部３２と第二屈曲部３７の間には隙間が形成される。
【００２３】
以上構成のリセプタクルコネクタ１５は図１等に示す固定用部材４０に実装（固定）する。固定用部材４０の前面には多数（テール片２９と同数）の固定用金属部（図示略）が一体的に形成してある。リセプタクルコネクタ１５は、固定用部材４０の各固定用金属部に対して各リセプタクルコンタクト２７のテール片２９をそれぞれはんだ付けすることにより固定用部材４０に対して実装する。
【００２４】
続いて、第一プラグコネクタ４５と第二プラグコネクタ７１について主に図８〜図１５を参照しながら説明する。
まずは第一プラグコネクタ４５の詳しい構造について説明する。
第一プラグコネクタ４５は大きな構成要素としてプラグインシュレータ４６と、広幅プラグコンタクト５９（プラグコンタクト、第一プラグコンタクト）と、狭幅プラグコンタクト６３（プラグコンタクト、第一プラグコンタクト）と、を具備している。
プラグインシュレータ４６は絶縁性かつ耐熱性の合成樹脂料を射出成形した上下方向に延びる部材である。プラグインシュレータ４６の上下両端部には貫通孔４６ａが形成してある。プラグインシュレータ４６の右側面の上下２カ所には係合凹部４７（案内手段）が形成してある。プラグインシュレータ４６の上下の係合凹部４７の間に位置する部位は上下方向に延びる接続用凸部４８を構成している。図示するように接続用凸部４８はプラグインシュレータ４６の右側縁部の前半部を構成しており、接続用凸部４８の厚み（前後寸法）はプラグインシュレータ４６の厚みの約半分である。接続用凸部４８の上下両端部を除く部分の右側面と後面とを接続する直線部（稜線部）は断面円弧形（断面略円弧形を含む。図１２、図１５参照）の誘い込み部４９を構成している。
接続用凸部４８の上下両端部はそれぞれプラグ側案内部５０（案内手段）を構成している。各プラグ側案内部５０の角部の側面は正面視円弧形（略円弧形を含む）の曲面からなる係合面５１により構成してある。さらに各プラグ側案内部５０の側面と後面とを接続する部分は誘い込み面５２により構成してある。図１４等に示すように、各誘い込み面５２は接続用凸部４８の誘い込み部４９の上下両端と接続しており、各誘い込み面５２の断面形状は誘い込み部４９と同じ形状（断面円弧形または断面略円弧形）である。
プラグインシュレータ４６の右側部の後半部には接続用凸部４８の直後に位置する嵌合凸部５４が形成してある。嵌合凸部５４の正面形状は上下方向に長い矩形形状である。図示するように嵌合凸部５４の右側面は接続用凸部４８の右側面より左方に位置している。
プラグインシュレータ４６には、多数（コンタクト支持孔５７とコンタクト支持孔５８の合計数がコンタクト支持孔２５と同数）のコンタクト支持孔５７、５８が上下方向に等間隔で並べて形成してある。コンタクト支持孔５７は広幅プラグコンタクト５９用の孔であり、コンタクト支持孔５８は狭幅プラグコンタクト６３用の孔である。コンタクト支持孔５７とコンタクト支持孔５８は１個おきに形成してあり、各コンタクト支持孔５７、５８の左端部はプラグインシュレータ４６の左側面において開口している（図１５を参照）。各コンタクト支持孔５７、５８の右側部は、接続用凸部４８の後面及び嵌合凸部５４の右側面に跨る態様で開口している（図１２、図１４参照）。
【００２５】
広幅プラグコンタクト５９及び狭幅プラグコンタクト６３の合計数量はリセプタクルコンタクト２７（コンタクト支持孔５７、５８）と同数である。広幅プラグコンタクト５９及び狭幅プラグコンタクト６３は、銅合金（例えばリン青銅、ベリリウム銅、チタン銅）やコルソン系銅合金の薄板を図示形状となるようにスタンピング成形したものであり、表面には金や錫などによってメッキを施してある。また、広幅プラグコンタクト５９及び狭幅プラグコンタクト６３はばね弾性を備えていても良い。
広幅プラグコンタクト５９は、左右方向に長い矩形形状の広幅接触片６０と、広幅接触片６０の角部から左側に突出するテール片６１と、を有している。
狭幅プラグコンタクト６３は、左右方向に長い矩形形状の狭幅接触片６４と、狭幅接触片６４の角部から左側に突出するテール片６６と、を有している。図１２、図１５に示すように狭幅接触片６４の後縁部には左右方向に延びる切り欠き６５が形成してある。そのため狭幅接触片６４の切り欠き６５が形成された部分の前後幅は広幅接触片６０の前後幅より短い。
【００２６】
各広幅プラグコンタクト５９はコンタクト支持孔５７に対して、コンタクト支持孔５７の左端開口（プラグインシュレータ４６の左側面側）から挿入し、各狭幅プラグコンタクト６３はコンタクト支持孔５８に対して、コンタクト支持孔５８の左端開口から挿入する。広幅プラグコンタクト５９と狭幅プラグコンタクト６３をコンタクト支持孔５７、５８に挿入すると、広幅接触片６０と狭幅接触片６４がコンタクト支持孔５７、５８の内部に進入し、広幅接触片６０と狭幅接触片６４が対応するコンタクト支持孔５７、５８に対して固定される。また、広幅接触片６０及び狭幅接触片６４の右半部が対応するコンタクト支持孔５７、５８の右側開口（接続用凸部４８の後面及び嵌合凸部５４の右側面に跨る開口）を通って接続用凸部４８と嵌合凸部５４の間に形成された空間に突出する。さらに図１２に示すように、狭幅接触片６４の切り欠き６５が形成された部分の後縁部が、広幅プラグコンタクト５９の広幅接触片６０の後縁部より一段前方に位置する。
【００２７】
以上構成の第一プラグコネクタ４５は図８、図９、図１９等に示す（図１９に示す形状が正確な形状）平板状の第一回路基板６８に実装（固定）する。第一回路基板６８は平面視矩形であり、その左右幅及び上下長はいずれも固定用部材４０より大きい。ただし第一回路基板６８の板厚は固定用部材４０と同一である（同一でなくてもよい）。第一回路基板６８の右側縁部の上下両端部を除く部分には平面視矩形の逃げ用凹部６９が凹設してある。第一回路基板６８の前面には図示を省略した回路パターンが一体的に形成してある。第一プラグコネクタ４５は、第一回路基板６８の回路パターンに対して各広幅プラグコンタクト５９のテール片６１と各狭幅プラグコンタクト６３のテール片６６をそれぞれはんだ付けすることにより第一回路基板６８に対して実装する。このようにして第一プラグコネクタ４５を第一回路基板６８に実装すると、図９等に示すように、上下の係合凹部４７、接続用凸部４８、嵌合凸部５４、広幅接触片６０、及び狭幅接触片６４が逃げ用凹部６９を通して第一回路基板６８の後方に露出する。
さらに第一プラグコネクタ４５のプラグインシュレータ４６の上下の貫通孔４６ａにはネジ（図示略）が挿入してあり、これら各ネジは第一回路基板６８に形成した雌ネジ孔（図示略）にそれぞれ螺合してある。
【００２８】
第二プラグコネクタ７１は第一プラグコネクタ４５と左右対称をなす構造物であり、プラグインシュレータ４６と、広幅プラグコンタクト５９（プラグコンタクト、第二プラグコンタクト）と、狭幅プラグコンタクト６３（プラグコンタクト、第二プラグコンタクト）と、を具備している。第二プラグコネクタ７１は、第一回路基板６８と左右対称な平板状の第二回路基板７３の前面（回路パターン）に対して実装（固定）してある。
また第二プラグコネクタ７１のプラグインシュレータ４６の各貫通孔４６ａにもネジ（図示略）が挿入してあり、これら各ネジは第二回路基板７３に形成した雌ネジ孔（図示略）にそれぞれ螺合している。
【００２９】
続いてリセプタクルコネクタ１５に対して第一プラグコネクタ４５と第二プラグコネクタ７１を、固定用板材４０、第一回路基板６８、及び第二回路基板７３が同一平面上に位置する態様で接続する要領について説明する。
図１９はコネクタ１０の使用例の一例であり、この使用例ではコネクタ１０を機器１００（例えばＭＦＰ（Multi Function Printer）のような電子機器や電気機器）の内部に取り付けている。
機器の外形を構成する筐体１０１の前面には蓋等により開閉可能な孔（図示略）が形成してある。また筐体１０１内に設けた固定部材（図示略）にはリセプタクルコネクタ１５と一体化した固定用部材４０がビス等によって固定してある。
このリセプタクルコネクタ１５に対して第一プラグコネクタ４５と第二プラグコネクタ７１を接続するには、作業者が手で第一プラグコネクタ４５と第二プラグコネクタ７１を掴んだ上で、筐体１０１の上記孔を通して第一プラグコネクタ４５と第二プラグコネクタ７１を筐体１０１内に挿入する。しかし筐体１０１内におけるコネクタ１０の取付空間（上記固定部材の周辺空間）が狭い場合や、作業者が上記孔を通してこの取付空間を視認するのが難しい場合がある。この場合、作業者はリセプタクルコネクタ１５、第一プラグコネクタ４５、及び第二プラグコネクタ７１の相対位置や姿勢を正確に把握できない状況下で、リセプタクルコネクタ１５に対して第一プラグコネクタ４５と第二プラグコネクタ７１を接続しなければならない。
このような場合、作業者はリセプタクルコネクタ１５、第一プラグコネクタ４５、及び第二プラグコネクタ７１の大まかな相対位置や姿勢を把握した上で、リセプタクルインシュレータ１６のリセプタクル側案内部２０、２１やプラグインシュレータ４６のプラグ側案内部５０等を頼りにリセプタクルコネクタ１５に対する第一プラグコネクタ４５と第二プラグコネクタ７１の接続作業を行う。
リセプタクルインシュレータ１６のリセプタクル側案内部２０、２１やプラグインシュレータ４６のプラグ側案内部５０等を利用した接続要領はいくつかあるので、以下、これらの接続要領を順次説明する。
【００３０】
（第一プラグコネクタ４５や第二プラグコネクタ７１を回転させながらリセプタクルコネクタ１５に接続する場合）
図１６〜図１８は、第一プラグコネクタ４５（第二プラグコネクタ７１）を回転させながら第一プラグコネクタ４５に対して接続する様子を示している。
この場合はまず、固定用部材４０と一体化したリセプタクルコネクタ１５の前方から第一回路基板６８と一体化した第一プラグコネクタ４５を筐体１０１内の上記取付空間においてリセプタクルコネクタ１５に接近させる。そして、図１６に示すように第一プラグコネクタ４５をリセプタクルコネクタ１５に対して傾斜させながら、一方（図１６、図１７では下方）の係合凹部４７をリセプタクル側案内部２１の左半部に対して接近させる。そして、下方の係合凹部４７をリセプタクル側案内部２１の左半部に係合させて、リセプタクル側案内部２１の左側の係合面２２に対して下方のプラグ側案内部５０側の係合面５１を係合させる（図１７参照）。すると第一回路基板６８が固定用部材４０と同一平面上に位置する。このとき、例えば下方のプラグ側案内部５０の後面がリセプタクル側案内部２１の前面に当接して、リセプタクル側案内部２１の左半部に対して下方の係合凹部４７が円滑に係合しない（リセプタクル側案内部２１の左側の係合面２２に対して下方のプラグ側案内部５０側の係合面５１が円滑に係合しない）場合は、リセプタクル側案内部２１の左側の誘い込み面２３に対して下方のプラグ側案内部５０側の誘い込み面５２を当接させながら、第一プラグコネクタ４５をリセプタクルコネクタ１５に対して前方に相対移動させる。すると誘い込み面２３と誘い込み面５２の案内作用によって、リセプタクル側案内部２１の左半部に対して下方の係合凹部４７が円滑に係合する（リセプタクル側案内部２１の左側の係合面２２に対して下方のプラグ側案内部５０側の係合面５１が円滑に係合する）。
次いで、リセプタクル側案内部２１の左側の係合面２２とプラグ側案内部５０側の係合面５１の接触部位を支点にして第一プラグコネクタ４５全体を図１７の時計方向に回転させることにより、上方の係合凹部４７をリセプタクル側案内部２０の左半部に対して接近させる。すると、リセプタクル側案内部２０の左半部に対して上方の係合凹部４７が円滑に係合し、リセプタクル側案内部２０の左側の係合面２２に対して上方のプラグ側案内部５０側の係合面５１が円滑に係合する（図１８参照）。さらに、プラグインシュレータ４６の接続用凸部４８がリセプタクルインシュレータ１６の左側の接続用凹部１７に遊嵌し、プラグインシュレータ４６の嵌合凸部５４がリセプタクルインシュレータ１６の左側の側面凹部１９に対して遊嵌し、第一回路基板６８の逃げ用凹部６９の間に固定用部材４０の左半部が遊嵌する。
そして第一プラグコネクタ４５が図１７の位置から図１８の位置まで回転する間に、第一プラグコネクタ４５の各広幅プラグコンタクト５９及び各狭幅プラグコンタクト６３が下側に位置するものから順に対応するコンタクト支持孔２５に対してコンタクト支持孔２５の左端開口から進入する。そして広幅接触片６０と狭幅接触片６４の右端部がリセプタクルコンタクト２７の第一誘い込み片３３と第二誘い込み片３８の対向面に接触しながら、第一誘い込み片３３と第二誘い込み片３８が互いに離れる方向に第一挟持片３１と第二挟持片３６を弾性変形させ、広幅接触片６０と狭幅接触片６４の上下両面が第一屈曲部３２と第二屈曲部３７に対して接触する（第一屈曲部３２と第二屈曲部３７によって挟持される。図２０参照）。第一プラグコネクタ４５の回転位置が図１８の位置に近づくにつれて、各広幅プラグコンタクト５９及び各狭幅プラグコンタクト６３の上下方向の中央部に位置するもの、さらに上部に位置するものが、対応するコンタクト支持孔２５に対して順々に進入していき、これらの広幅プラグコンタクト５９（広幅接触片６０）及び狭幅プラグコンタクト６３（狭幅接触片６４）が対応するリセプタクルコンタクト２７に接触する（第一屈曲部３２と第二屈曲部３７によって挟持される）。このように各広幅プラグコンタクト５９及び各狭幅プラグコンタクト６３が各リセプタクルコンタクト２７に対して順々に接触するので、すべての広幅プラグコンタクト５９及び狭幅プラグコンタクト６３が各リセプタクルコンタクト２７に対して同時に接触する場合と比べて、第一プラグコネクタ４５をリセプタクルコネクタ１５に対して小さい力で接続することが可能である。
【００３１】
第二回路基板７３と一体化した第二プラグコネクタ７１も、下方のプラグ側案内部５０（係合凹部４７、係合面５１）をリセプタクル側案内部２１の右半部に係合させながら（リセプタクル側案内部２１の右側の係合面２２に対して下方のプラグ側案内部５０側の係合面５１を係合させながら）、リセプタクル側案内部２１の右側の係合面２２とプラグ側案内部５０側の係合面５１の接触部位を支点にして第二プラグコネクタ７１全体を図１７の反時計方向に回転させることにより、第二回路基板７３が固定用部材４０及び第一回路基板６８と同一平面上に位置する（第一プラグコネクタ４５と第二プラグコネクタ７１が左右方向に並ぶ）態様でリセプタクルコネクタ１５に対して接続することが可能である。
そして第一プラグコネクタ４５と第二プラグコネクタ７１をリセプタクルコネクタ１５に接続したら、第一回路基板６８と第二回路基板７３をビス等によって上記固定部材に固定する。
このようにしてコネクタ１０を組み立てると、リセプタクルコネクタ１５のリセプタクルコンタクト２７と、第一プラグコネクタ４５の広幅プラグコンタクト５９及び狭幅プラグコンタクト６３と、第二プラグコネクタ７１の広幅プラグコンタクト５９及び狭幅プラグコンタクト６３とを介して、第一回路基板６８と第二回路基板７３が電気的に導通する。
さらに、例えば、第一回路基板６８に実装した第一プラグコネクタ４５や（第一プラグコネクタ４５以外の）電子部品、又は第二回路基板７３に実装した第二プラグコネクタ７１や（第二プラグコネクタ７１以外の）電子部品が故障した場合は、上記と逆の手順によって第一プラグコネクタ４５と第一回路基板６８の一体物や第二プラグコネクタ７１と第二回路基板７３の一体物をリセプタクルコネクタ１５から簡単に取り外し、新しいものと交換することが可能である。
【００３２】
（第一プラグコネクタ４５や第二プラグコネクタ７１を後方に直線的に移動させながらリセプタクルコネクタ１５に接続する場合）
図２１及び図２２は、第一プラグコネクタ４５（第二プラグコネクタ７１）を後方に直線的に移動させながらリセプタクルコネクタ１５に対して接続する様子を示している。
この場合はまず、第一回路基板６８と一体化した第一プラグコネクタ４５を固定用部材４０と一体化したリセプタクルコネクタ１５の前方に位置させ、上方の係合凹部４７とリセプタクル側案内部２０の左側部の左右位置及び上下位置をおおまかに合わせ、さらに下方の係合凹部４７とリセプタクル側案内部２１の左側部の左右位置及び上下位置をおおまかに合わせる。
次いで、第一プラグコネクタ４５全体を後方（図２２の矢線方向）に直線移動させて、第一プラグコネクタ４５をリセプタクルコネクタ１５に対して接近させる。すると、リセプタクル側案内部２０の左半部に対して上方の係合凹部４７が係合し、リセプタクル側案内部２１の左半部に対して下方の係合凹部４７が係合するので、この係合関係を維持したまま、第一回路基板６８が固定用部材４０と同一平面上に位置するまで第一プラグコネクタ４５をさらに後方に移動させる。その結果、プラグインシュレータ４６の接続用凸部４８がリセプタクルインシュレータ１６の左側の接続用凹部１７に遊嵌し、プラグインシュレータ４６の嵌合凸部５４がリセプタクルインシュレータ１６の左側の側面凹部１９に対して遊嵌し、第一回路基板６８の逃げ用凹部６９に固定用部材４０の左半部が遊嵌する。
そして、各広幅プラグコンタクト５９（広幅接触片６０）及び各狭幅プラグコンタクト６３（狭幅接触片６４）が対応するコンタクト支持孔２５に対してコンタクト支持孔２５の前端開口から進入し、第一屈曲部３２と第二屈曲部３７の隙間に対して前方から進入して、第一屈曲部３２と第二屈曲部３７が互いに離れる方向に第一挟持片３１と第二挟持片３６を弾性変形させながらリセプタクルコンタクト２７に接触する（第一屈曲部３２と第二屈曲部３７によって挟持される）。このとき、まずは各広幅プラグコンタクト５９の広幅接触片６０（の後部）が対応するリセプタクルコンタクト２７に対して接触し（第一屈曲部３２と第二屈曲部３７によって挟持され）、その後に、広幅プラグコンタクト５９の広幅接触片６０の後縁部より一段前方に位置する狭幅接触片６４の後縁部が対応するリセプタクルコンタクト２７に対して接触する（第一屈曲部３２と第二屈曲部３７によって挟持される）。このように各広幅プラグコンタクト５９のリセプタクルコンタクト２７に対する接触動作と、各狭幅プラグコンタクト６３のリセプタクルコンタクト２７に対する接触動作が時間差をもって行われるので、すべての広幅プラグコンタクト５９及び狭幅プラグコンタクト６３が各リセプタクルコンタクト２７に対して同時に接触する場合と比べて、第一プラグコネクタ４５をリセプタクルコネクタ１５に対して小さい力で接続することが可能である。
なお、第一プラグコネクタ４５全体を後方に直線移動させたときに、例えば下方のプラグ側案内部５０がリセプタクル側案内部２１の前面に当接して（或いは、上方のプラグ側案内部５０がリセプタクル側案内部２０の前面に当接して）、リセプタクル側案内部２０、２１の左半部に対して上下の係合凹部４７が円滑に係合しない場合は、リセプタクル側案内部２１の左側の誘い込み面２３に対して下方のプラグ側案内部５０側の誘い込み面５２を当接させながら（或いはリセプタクル側案内部２０の左側の誘い込み面２３に対して上方のプラグ側案内部５０側の誘い込み面５２を当接させながら）、第一プラグコネクタ４５をリセプタクルコネクタ１５に対して後方に直線移動させる。すると誘い込み面２３と誘い込み面５２の案内作用によって、リセプタクル側案内部２１の左半部に対して下方の係合凹部４７が円滑に係合し、かつ、リセプタクル側案内部２０の左半部に対して上方の係合凹部４７が円滑に係合する。また、仮に接続用凸部４８の右側縁部の後面が仕切突条１８の前部に当接することにより、接続用凸部４８が左側の接続用凹部１７に対して円滑に遊嵌できない（その結果、リセプタクル側案内部２０、２１の左半部に対して上下の係合凹部４７が係合しない）場合は、プラグインシュレータ４６の誘い込み部４９を仕切突条１８の誘い込み部１８ａに当接させながら、第一プラグコネクタ４５をリセプタクルコネクタ１５に対して後方に直線移動させる。すると誘い込み部４９と誘い込み部１８ａの案内作用によって、接続用凸部４８が左側の接続用凹部１７に対して円滑に遊嵌する（その結果、上下の係合凹部４７に対してリセプタクル側案内部２０、２１の左半部が係合する）。
第二プラグコネクタ７１も第一プラグコネクタ４５と同じ要領によってリセプタクルコネクタ１５に対して接続することが可能である。
そして第一プラグコネクタ４５と第二プラグコネクタ７１をリセプタクルコネクタ１５に接続したら、第一回路基板６８と第二回路基板７３をビス等によって上記固定部材に固定する。
また、リセプタクルコネクタ１５に対して接続した第一プラグコネクタ４５と第二プラグコネクタ７１は、上記と逆の手順によってリセプタクルコネクタ１５から簡単に取り外すことが可能である。
【００３３】
（第一プラグコネクタ４５や第二プラグコネクタ７１を左右方向に直線的に移動させながらリセプタクルコネクタ１５に接続する場合）
図２３及び図２４は、第一プラグコネクタ４５（第二プラグコネクタ７１）を左右方向に直線的に移動させながらリセプタクルコネクタ１５に対して接続する様子を示している。
この場合はまず、第一回路基板６８と一体化した第一プラグコネクタ４５を固定用部材４０と一体化したリセプタクルコネクタ１５の左方に位置させ、上方の係合凹部４７とリセプタクル側案内部２０の左側部の前後位置及び上下位置をおおまかに合わせ、さらに下方の係合凹部４７とリセプタクル側案内部２１の左側部の前後位置及び上下位置をおおまかに合わせる。
次いで、第一プラグコネクタ４５全体を右方（図２４の矢線方向）に直線移動させて、第一プラグコネクタ４５をリセプタクルコネクタ１５に対して接近させる。すると、リセプタクル側案内部２０の左半部に対して上方の係合凹部４７が係合し、リセプタクル側案内部２１の左半部に対して下方の係合凹部４７が係合するので、上下の係合凹部４７がリセプタクル側案内部２０とリセプタクル側案内部２１に対して完全に遊嵌するまで第一プラグコネクタ４５をさらに右方へ移動させる。その結果、プラグインシュレータ４６の接続用凸部４８がリセプタクルインシュレータ１６の接続用凹部１７に遊嵌し、プラグインシュレータ４６の嵌合凸部５４がリセプタクルインシュレータ１６の左側の側面凹部１９に対して遊嵌し、第一回路基板６８の逃げ用凹部６９に固定用部材４０の左半部が遊嵌する。そして、各広幅プラグコンタクト５９（広幅接触片６０）及び各狭幅プラグコンタクト６３（狭幅接触片６４）が対応するコンタクト支持孔２５に対してコンタクト支持孔２５の左端開口からに進入して対応するリセプタクルコンタクト２７に接触する（第一屈曲部３２と第二屈曲部３７によって挟持される）。
なお、第一プラグコネクタ４５全体を右方に直線移動させたときに、例えば下方のプラグ側案内部５０がリセプタクル側案内部２１の左端部に当接して（又は上方のプラグ側案内部５０がリセプタクル側案内部２０の左端部に当接して）、リセプタクル側案内部２０、２１の左半部に対して上下の係合凹部４７が円滑に係合しない場合は、下方の係合面５１をリセプタクル側案内部２１の左端部に当接させながら（或いは上方の係合面５１をリセプタクル側案内部２０の左端部に当接させながら）、第一プラグコネクタ４５をリセプタクルコネクタ１５に対して右方に直線移動させる。すると係合面５１の案内作用によって係合面５１と係合面２２が係合し、さらに係合面５１と係合面２２の案内作用によって、リセプタクル側案内部２１の左半部に対して下方の係合凹部４７が円滑に係合し、かつ、リセプタクル側案内部２０の左半部に対して上方の係合凹部４７が円滑に係合する。
第二プラグコネクタ７１も第一プラグコネクタ４５と同じ要領によって（リセプタクルコネクタ１５に対して左方に直線的に移動させることにより）リセプタクルコネクタ１５に対して接続することが可能である。
そして第一プラグコネクタ４５と第二プラグコネクタ７１をリセプタクルコネクタ１５に接続したら、第一回路基板６８と第二回路基板７３をビス等によって上記固定部材に固定する。
また、リセプタクルコネクタ１５に対して接続した第一プラグコネクタ４５と第二プラグコネクタ７１は、上記と逆の手順によってリセプタクルコネクタ１５から簡単に取り外すことが可能である。
【００３４】
（第一プラグコネクタ４５や第二プラグコネクタ７１をリセプタクルコネクタ１５に対して傾斜させた上で斜め後方に移動させながらリセプタクルコネクタ１５に接続する場合）
図２５及び図２６は、第一プラグコネクタ４５（第二プラグコネクタ７１）をリセプタクルコネクタ１５に対して傾斜させた上で斜め後方に移動させながらリセプタクルコネクタ１５に対して接続する様子を示している。
この場合はまず、第一プラグコネクタ４５と第一回路基板６８の一体物を第一プラグコネクタ４５側（右側）が第一回路基板６８の左側部に対して前方に位置する態様で傾斜させた上で、第一プラグコネクタ４５と第一回路基板６８の一体物を固定用部材４０と一体化したリセプタクルコネクタ１５の前方に位置させ、上方の係合凹部４７とリセプタクル側案内部２０の左側部の左右位置及び上下位置をおおまかに合わせ、さらに下方の係合凹部４７とリセプタクル側案内部２１の左側部の左右位置及び上下位置をおおまかに合わせる。
次いで、第一プラグコネクタ４５全体を斜め後方（図２６の矢線方向に）移動させながらリセプタクルコネクタ１５に対して接近させる。すると、リセプタクル側案内部２０の左半部に対して上方の係合凹部４７が中間位置まで係合し、リセプタクル側案内部２１の左半部に対して下方の係合凹部４７が中間位置まで係合する。さらに、プラグインシュレータ４６の接続用凸部４８がリセプタクルインシュレータ１６の左側の接続用凹部１７に中間位置まで遊嵌し、プラグインシュレータ４６の嵌合凸部５４がリセプタクルインシュレータ１６の左側の側面凹部１９に対して中間位置まで遊嵌し、第一回路基板６８の逃げ用凹部６９に固定用部材４０の左半部が中間位置まで遊嵌する。その結果、各広幅プラグコンタクト５９（広幅接触片６０）及び各狭幅プラグコンタクト６３（狭幅接触片６４）が対応するコンタクト支持孔２５に対してコンタクト支持孔２５の前端開口から進入し、各広幅プラグコンタクト５９（広幅接触片６０）及び各狭幅プラグコンタクト６３（狭幅接触片６４）が傾斜した状態で対応するリセプタクルコンタクト２７と接触する。このときも、まずは各広幅プラグコンタクト５９の広幅接触片６０が対応するリセプタクルコンタクト２７に対して接触し（第一屈曲部３２と第二屈曲部３７によって挟持され）、その後に狭幅接触片６４が対応するリセプタクルコンタクト２７に対して接触する（第一屈曲部３２と第二屈曲部３７によって挟持される）。
さらに第一回路基板６８が固定用部材４０と同一平面上に位置するまで第一プラグコネクタ４５と第一回路基板６８の一体物を後方に移動させると、リセプタクル側案内部２０の左半部に対して上方の係合凹部４７が完全に係合し、リセプタクル側案内部２１の左半部に対して下方の係合凹部４７が完全に係合する。さらに、プラグインシュレータ４６の接続用凸部４８がリセプタクルインシュレータ１６の左側の接続用凹部１７に完全に遊嵌し、プラグインシュレータ４６の嵌合凸部５４がリセプタクルインシュレータ１６の左側の側面凹部１９に対して完全に遊嵌し、第一回路基板６８の逃げ用凹部６９に固定用部材４０の左半部が完全に遊嵌する。その結果、各広幅プラグコンタクト５９の広幅接触片６０及び各狭幅プラグコンタクト６３の狭幅接触片６４がリセプタクルコンタクト２７と完全な状態（図２０の状態）で接触する。
第二プラグコネクタ７１も第一プラグコネクタ４５と同じ要領によって（第二プラグコネクタ７１と第二回路基板７３の一体物を第二プラグコネクタ７１側（左側）が第二回路基板７３の右側部に対して前方に位置する態様で傾斜させた上で、図２６中の上記矢印と左右対称な方向に移動させることにより）リセプタクルコネクタ１５に対して接続することが可能である。
そして第一プラグコネクタ４５と第二プラグコネクタ７１をリセプタクルコネクタ１５に接続したら、第一回路基板６８と第二回路基板７３をビス等によって上記固定部材に固定する。
また、リセプタクルコネクタ１５に対して接続した第一プラグコネクタ４５と第二プラグコネクタ７１は、上記と逆の手順によってリセプタクルコネクタ１５から簡単に取り外すことが可能である。
【００３５】
（第一プラグコネクタ４５や第二プラグコネクタ７１を図２５、図２６とは異なる態様でリセプタクルコネクタ１５に対して傾斜させた上で斜め後方に移動させながらリセプタクルコネクタ１５に接続する場合）
図２７及び図２８は、第一プラグコネクタ４５（第二プラグコネクタ７１）をリセプタクルコネクタ１５に対して図２５、図２６とは異なる態様で傾斜させた上で斜め後方に移動させながらリセプタクルコネクタ１５に対して接続する様子を示している。
この場合はまず、第一プラグコネクタ４５と第一回路基板６８の一体物を第一プラグコネクタ４５側（右側）が第一回路基板６８の左側部に対して後方に位置する態様で傾斜させた上で、第一プラグコネクタ４５と第一回路基板６８の一体物を固定用部材４０と一体化したリセプタクルコネクタ１５の前方に位置させ、上方の係合凹部４７とリセプタクル側案内部２０の左側部の左右位置及び上下位置をおおまかに合わせ、さらに下方の係合凹部４７とリセプタクル側案内部２１の左側部の左右位置及び上下位置をおおまかに合わせる。
次いで、第一プラグコネクタ４５全体を斜め後方（図２８の矢線方向に）移動させながらリセプタクルコネクタ１５に対して接近させる。すると、リセプタクル側案内部２０の左半部に対して上方の係合凹部４７が中間位置まで係合し、リセプタクル側案内部２１の左半部に対して下方の係合凹部４７が中間位置まで係合する。さらに、プラグインシュレータ４６の接続用凸部４８がリセプタクルインシュレータ１６の左側の接続用凹部１７に中間位置まで遊嵌し、プラグインシュレータ４６の嵌合凸部５４がリセプタクルインシュレータ１６の左側の側面凹部１９に対して中間位置まで遊嵌し、第一回路基板６８の逃げ用凹部６９に固定用部材４０の左半部が中間位置まで遊嵌する。その結果、各広幅プラグコンタクト５９（広幅接触片６０）及び各狭幅プラグコンタクト６３（狭幅接触片６４）が対応するコンタクト支持孔２５に対してコンタクト支持孔２５の前端開口から進入し、各広幅プラグコンタクト５９（広幅接触片６０）及び各狭幅プラグコンタクト６３（狭幅接触片６４）が傾斜した状態で対応するリセプタクルコンタクト２７と接触する。このときも、まずは各広幅プラグコンタクト５９の広幅接触片６０が対応するリセプタクルコンタクト２７に対して接触し（第一屈曲部３２と第二屈曲部３７によって挟持され）、その後に狭幅接触片６４が対応するリセプタクルコンタクト２７に対して接触する（第一屈曲部３２と第二屈曲部３７によって挟持される）。
そして、この後に第一回路基板６８が固定用部材４０と同一平面上に位置するまで第一プラグコネクタ４５と第一回路基板６８の一体物を後方に移動させれば、図２５、図２６の場合と同様に、各広幅プラグコンタクト５９の広幅接触片６０及び各狭幅プラグコンタクト６３の狭幅接触片６４がリセプタクルコンタクト２７と完全な状態（図２０の状態）で接触する。
第二プラグコネクタ７１も第一プラグコネクタ４５と同じ要領によって（第二プラグコネクタ７１と第二回路基板７３の一体物を第二プラグコネクタ７１側（左側）が第二回路基板７３の右側部に対して後方に位置する態様で傾斜させた上で、図２８中の上記矢印と左右対称な方向に移動させることにより）リセプタクルコネクタ１５に対して接続することが可能である。
そして第一プラグコネクタ４５と第二プラグコネクタ７１をリセプタクルコネクタ１５に接続したら、第一回路基板６８と第二回路基板７３をビス等によって上記固定部材に固定する。
また、リセプタクルコネクタ１５に対して接続した第一プラグコネクタ４５と第二プラグコネクタ７１は、上記と逆の手順によってリセプタクルコネクタ１５から簡単に取り外すことが可能である。
【００３６】
以上説明した本実施形態のコネクタ１０は、リセプタクルコネクタ１５に対して第一プラグコネクタ４５と第二プラグコネクタ７１を、一方向（リセプタクルコンタクト２７の並び方向）に対して直交する第一着脱方向（前後方向：図２１、図２２、図２５〜図２８の接続要領）、一方向及び第一着脱方向に対して直交する第二着脱方向（左右方向：図２３、図２４の接続要領）、並びに第一着脱方向を中心とする回転方向（図１６〜図１８の接続要領）のいずれの方向に接近させる場合であっても、リセプタクルコネクタ１５に対して第一プラグコネクタ４５と第二プラグコネクタ７１を接続する（リセプタクルコンタクト２７に対して広幅プラグコンタクト５９と狭幅プラグコンタクト６３を接触させる）ことが可能である。そのため、リセプタクルコネクタ１５に対する第一プラグコネクタ４５と第二プラグコネクタ７１の接続可能方向が一つの方向に限定されているコネクタと比べて、リセプタクルコネクタ１５に対して第一プラグコネクタ４５と第二プラグコネクタ７１を容易に接続させることが可能である。
【００３７】
しかも、リセプタクルコネクタ１５に対して第一プラグコネクタ４５と第二プラグコネクタ７１を接続するときの接近方向が第一着脱方向、第二着脱方向、及び回転方向のいずれの方向であっても、リセプタクルインシュレータ１６とプラグインシュレータ４６を接続方向に移動案内することが可能な案内手段（リセプタクル側案内部２０、リセプタクル側案内部２１、係合凹部４７、プラグ側案内部５０）をコネクタ１０が備えている。
そのためリセプタクルコネクタ１５に対する第一プラグコネクタ４５や第二プラグコネクタ７１の相対位置や姿勢を正確に把握できない環境下においても、リセプタクルコネクタ１５に対する第一プラグコネクタ４５や第二プラグコネクタ７１の着脱作業を比較的容易に行うことが可能である。
しかも、リセプタクルコネクタ１５に対する第一プラグコネクタ４５や第二プラグコネクタ７１の着脱作業時にリセプタクルコネクタ１５、第一プラグコネクタ４５、及び第二プラグコネクタ７１に無理な力が掛からないので、リセプタクルコネクタ１５、第一プラグコネクタ４５、及び第二プラグコネクタ７１が破損するおそれは小さい。
【００３８】
また、プラグインシュレータ４６の上下の係合凹部４７がリセプタクル側案内部２０とリセプタクル側案内部２１に対して係合するので、仮に第一回路基板６８と第二回路基板７３を上記固定部材に固定するためのビスが脱落したとしても、第一プラグコネクタ４５や第二プラグコネクタ７１のプラグインシュレータ４６がリセプタクルコネクタ１５のリセプタクルインシュレータ１６に対して下方に脱落するおそれは小さい。
【００３９】
さらに、第一回路基板６８と第二回路基板７３を前後方向に対向させて配置した場合（第一プラグコネクタと第二プラグコネクタを前後に並べて、両者の間に位置するリセプタクルコネクタに第一プラグコネクタと第二プラグコネクタを接続する場合）に、後方に位置する回路基板と一体化したプラグコネクタをリセプタクルコネクタに対して着脱する場合は、前方に位置する回路基板（及びプラグコネクタ）が後方に位置するプラグコネクタの着脱作業の障害になるので、着脱作業は困難になるおそれが高い。
これに対して本実施形態では第一回路基板６８と第二回路基板７３を前後方向に対して直交する一平面上に位置させているので、第一プラグコネクタ４５と第二プラグコネクタ７１のリセプタクルコネクタ１５に対する着脱作業を容易に行うことが可能である。
【００４０】
以上、本発明を上記各実施形態に基づいて説明したが、本発明は上記実施形態に限定されるものではなく、様々な変形を施しながら実施可能である。
例えば、コネクタ１０から第一プラグコネクタ４５と第二プラグコネクタ７１の一方を省略してもよい。
またプラグコンタクトとして広幅プラグコンタクト５９と狭幅プラグコンタクト６３の一方のみを利用してもよい。
【符号の説明】
【００４１】
１０    コネクタ
１５    リセプタクルコネクタ
１６    リセプタクルインシュレータ
１７    接続用凹部
１８    仕切突条
１８ａ  誘い込み部
１９    側面凹部
２０  ２１  リセプタクル側案内部（案内手段）
２２    係合面
２３    誘い込み面
２５    コンタクト支持孔
２７    リセプタクルコンタクト
２８    ベース片
２９    テール片
３０    第一支持片
３１    第一挟持片
３１ａ  係止部
３２    第一屈曲部
３３    第一誘い込み片
３５    第二支持片
３５ａ  係止部
３６    第二挟持片
３７    第二屈曲部
３８    第二誘い込み片
４０    固定用板材
４５    第一プラグコネクタ（プラグコネクタ）
４６    プラグインシュレータ
４６ａ  貫通孔
４７    係合凹部（案内手段）
４８    接続用凸部
４９    誘い込み部
５０    プラグ側案内部（案内手段）
５１    係合面
５２    誘い込み面
５４    嵌合凸部
５７  ５８  コンタクト支持孔
５９    広幅プラグコンタクト（プラグコンタクト）
６０    第一接触片
６１    第一テール片
６３    狭幅プラグコンタクト（プラグコンタクト）
６４    第二接触片
６５    切り欠き
６６    第二テール片
６８    第一回路基板
６９    逃げ用凹部
７１    第二プラグコネクタ（プラグコネクタ）
７３    第二回路基板
１００  機器
１０１  筐体
【図１】
2015018623.tif 000003
【図２】
2015018623.tif 000004
【図３】
2015018623.tif 000005
【図４】
2015018623.tif 000006
【図５】
2015018623.tif 000007
【図６】
2015018623.tif 000008
【図７】
2015018623.tif 000009
【図８】
2015018623.tif 000010
【図９】
2015018623.tif 000011
【図１０】
2015018623.tif 000012
【図１１】
2015018623.tif 000013
【図１２】
2015018623.tif 000014
【図１３】
2015018623.tif 000015
【図１４】
2015018623.tif 000016
【図１５】
2015018623.tif 000017
【図１６】
2015018623.tif 000018
【図１７】
2015018623.tif 000019
【図１８】
2015018623.tif 000020
【図１９】
2015018623.tif 000021
【図２０】
2015018623.tif 000022
【図２１】
2015018623.tif 000023
【図２２】
2015018623.tif 000024
【図２３】
2015018623.tif 000025
【図２４】
2015018623.tif 000026
【図２５】
2015018623.tif 000027
【図２６】
2015018623.tif 000028
【図２７】
2015018623.tif 000029
【図２８】
2015018623.tif 000030